(57)【要約】【課題】  水冷式熱交換器で発生する結露水と漏水を排水できるうえ漏水を的確に検出できる漏水検出システムを提供する【解決手段】  冷却水をラジエター１１に循環させてなる熱交換器１のケース３の底部３１に少量排水口４を、また、該少量排水口４より上部位置に大量排水口５を設けたうえ、少量排水口４と大量排水口５との間の水位を検出する水位検出部７を設ける。【選択図】  図１
2005127568.tif 000002
【特許請求の範囲】
【請求項１】
冷却水をラジエターに循環させてなる熱交換器のケースの底部に少量排水口を、また、該少量排水口より上部位置に大量排水口を設けたうえ、少量排水口と大量排水口との間の水位を検出する水位検出部を設けたことを特徴とする水冷式熱交換器の漏水検出システム。
【請求項２】
水位検出部がフロートスイッチである請求項１に記載の水冷式熱交換器の漏水検出システム。
【請求項３】
ケースの底部を貫通する筒部を設け、該筒部の上部に大量排水口に形成し、ケースの底部上面に接する該筒部の側面に少量排水口を形成した請求項１又は２に記載の水冷式熱交換器の漏水検出システム。
【発明の詳細な説明】
【技術分野】
【０００１】
本発明は、分電盤、配電盤の内部を冷却するために使用する水冷式熱交換器の漏水検出システムに関するものである。
【背景技術】
【０００２】
熱交換器は結露水等の内部に溜まった水を外部に排水するものとしては、熱交換器のケース底部にドレン孔を透設してこのドレン孔から排水するものや、ケース底部にドレンパンを配置してこのドレンパンに一定量のドレン水が溜まったらそれをフロートスイッチで検知してドレンポンプを作動させてドレン水を排水するものがある（例えば、特許文献１参照）。ところが、これらのものを水冷式熱交換器に使用した場合には、ラジエター等の配管に亀裂が発生して漏水した場合や途中の配管の接続部等より冷却水が漏水した場合にあってもこの漏水を結露水と一緒に排水するため、漏水が発生したことを検出することができない問題がある。
【特許文献１】特開平６−１３７５８６号公報（図１）
【発明の開示】
【発明が解決しようとする課題】
【０００３】
本発明は前記のような従来の問題点を解決して、結露水と漏水を排水できるうえ漏水を的確に検出できる水冷式熱交換器の漏水検出システムを提供することである。
【課題を解決するための手段】
【０００４】
本発明の水冷式熱交換器の漏水検出システムは、冷却水をラジエターに循環させてなる熱交換器のケースの底部に少量排水口を、また、該少量排水口より上部位置に大量排水口を設けたうえ、少量排水口と大量排水口との間の水位を検出する水位検出部を設けたことを特徴とするものを請求項１に記載の発明とし、また、この発明において、水位検出部がフロートスイッチであることとしたものを請求項２に記載の発明とする。さらに、これらの発明において、ケースの底部を貫通する筒部を設け、該筒部の上部に大量排水口に形成し、ケースの底部上面に接する該筒部の側面に少量排水口を形成したものを請求項３に記載の発明とする。
【発明の効果】
【０００５】
請求項１に記載した発明は、ケースの底部に少量排水口を、また、該少量排水口より上部位置に大量排水口を設けたものであるから、ラジエターに発生する結露水は少量排水口から外部に排水され、ラジエターの配管等に亀裂が発生して冷却水が漏水した場合や途中の配管の接続部等より冷却水が漏水した場合には、この漏水は少量排水口では排水しきれないので水位が上昇して、該少量排水口より上部位置に設けた大量排水口から外部に排水されるので、この熱交換器を取り付けた分電盤、配電盤の電気機器収納部に水が浸入する虞のないものである。また、少量排水口と大量排水口との間の水位を検出する水位検出部を設けているので、水位上昇を検出して漏水を検知することができる。
【０００６】
また、請求項２の発明は前記請求項１の発明において、水位検出部がフロートスイッチであるので、該フロートスイッチは結露水が流下時に飛散して当たっても誤作動することがなく、的確に水位上昇を検出して漏水を検知することができる。
【０００７】
さらに、請求項３の発明は前記請求項１及び２の発明において、ケースの底部を貫通する筒部を設け、該筒部の上部に大量排水口に形成し、ケースの底部上面に接する筒部の側面に少量排水口を形成したものであるから、少量排水口と大量排水口の終端排水路が筒部の下方となるので、排水が一箇所に纏まり排水後の処理が容易となる。また、少量排水口と大量排水口が同一の筒部に形成してあるので、製作が容易となる。
【発明を実施するための最良の形態】
【０００８】
次に、本発明の好ましい実施の形態を図面に基づき説明する。
１は分電盤、配電盤等の盤類２の外側面に取り付ける熱交換器であり、該熱交換器１は冷却水をラジエター１１に循環させて、該冷却水により冷却されたラジエター１１にファン１２により上方の空気取入口１３から取り入れた盤類２の電気機器収納部の熱い空気を触れさせて冷却し、下方の空気返送口１４から電気機器収納部に返送して盤類２内の温度上昇を抑制するものである。
【０００９】
この熱交換器１のケース３の底部３１には少量排水口４が設けられている。この少量排水口４はラジエター１１や冷却水を供給する送水管１５等により発生する結露水が滞留することなく排水できる迄の大きさとしている。また、該少量排水口４より上部位置には大量排水口５が設けてある。大量排水口５はラジエター１１の配管１１ａ等に亀裂が発生して冷却水が漏水した場合や冷却水を供給する送水管等の接続部等より冷却水が漏水した場合に少量排水口４では排水しきれずに水位が上昇した水を排水するものである。
【００１０】
なお、これら少量排水口４と大量排水口５は図示のものはケース３の底部３１を貫通する筒部６を設け、該筒部６の上部すなわち筒部６を短筒状としてその上端開口をもって大量排水口５を形成し、ケース３の底部３１上面に接する該筒部６の側面に小孔を設けて少量排水口４を形成したものである。しかし、これに限らず、少量排水口４をケース３の底部３１に透設した小孔からなるものとし、大量排水口５をケース３の底部３１の上部に位置するケース３の壁面に設けてもよい。また、図示のものは結露水が最も発生するラジエター１１の下部にドレン受１１ｂを設けてこれに溜まった結露水をホース１１ｃにより筒部６の側面に設けた孔部に接続してケース３内に飛散することなく外部に排水するものとしているが、ドレン受１１ｂを設けずそのまま底部３１で結露水を受け少量排水口４より排水してもよい。
【００１１】
７は少量排水口４と大量排水口５との間の水位を検出する水位検出部である。この水位検出部７が検出する水位は少量排水口４から排水しきれないラジエター１１の配管等からの漏水により滞留した水を検知することとなるので、該水位検出部７は所定の水位となったら警報器や、ラジエター１１に接続した送水管１５に設けた電磁弁１５ａ又は器外の冷却水送水用のポンプに信号をおくり、警報を発したり、電磁弁１５ａを閉じたり、ポンプの運転を停止して冷却水のラジエター１１への循環を停止して漏水を止めることができる。
【００１２】
この実施形態では水位検出部７は図示のとおりフロートスイッチを使用している。このフロートスイッチ７はケース３の低部３１に対して垂直に設けた中心筒７１にフロート部材７２を上下動自在に嵌合して、該中心筒７１に接点７１ａを設け、また、フロート部材７２にマグネット７２ａ設けたものである。そして、水位の上昇に伴い上動するフロート部材７２のマグネット７２ａが接点７１ａに接近すると該接点７１ａが磁気を感知してその信号を警報器、電磁弁、ポンプ等に送るものである。このようなマグネット７２ａが接点７１ａに接近すると該接点７１ａが磁気を感知してその信号を送る構成としたフロートスイッチ７にあっては結露水の垂下による跳ね返りによる誤作動がない利点がある。
【００１３】
なお、水位検出部７は前記フロートスイッチに限られることなく電極スイッチとして、所定の水位となった信号を発するものとしてもよく、この場合に大量排水口５の口縁に設けてもよい。
【００１４】
このように構成されたものは、通常時はラジエター１１や冷却水を供給する送水管等に発生する結露水はケース３の底部３１に流下して少量排水口４から外部に排水されるものである。しかし、この少量排水口４はラジエター１１の配管１１ａに生じた亀裂により発生する漏水や冷却水を供給する送水管１５等の接続部等より発生する漏水を排水しきれずそのためケース３の底部３１に水が溜まり水位が上昇するものであるが、該少量排水口４より上部位置に大量排水口５が設けあるので上昇した水は該大量排水口５から外部に排水されるので、この熱交換器を取り付けた分電盤、配電盤等の盤類の電気機器収納部に水が浸入する虞のないものである。
【００１５】
また、少量排水口４と大量排水口５との間の水位を検出する水位検出部７を設けているので、水位検出部７が水位を検知することは漏水を検知したこととなるので、この場合に水位検出部７は異常信号を発して、漏水警報を発したり、電磁弁１５ａを閉じたり、ポンプの運転を停止して冷却水のラジエター１１への循環を停止して漏水を止めるものである。
【図面の簡単な説明】
【００１６】
【図１】本発明の実施形態を示す断面図である。
【図２】本発明の実施形態を前面カバーを外して示す斜視図である。
【図３】本発明の実施形態の要部示す斜視図である。
【図４】少量排水口と大量排水口及びフロートスイッチとを示す正面図である。
【図５】盤類に水冷式熱交換器を取り付けた使用状態を示す斜視図である。
【符号の説明】
【００１７】
１  熱交換器
11  ラジエター
３  ケース
31  底部
４  少量排水口
５  大量排水口
６  筒部
７  水位検出部
【図１】
2005127568.tif 000003
【図２】
2005127568.tif 000004
【図３】
2005127568.tif 000005
【図４】
2005127568.tif 000006
【図５】
2005127568.tif 000007